(57)【要約】【課題】連続して搬送される記録媒体同士の衝突を抑制することが可能な記録装置及び記録方法を提供する。【解決手段】インクジェット式プリンター１１は、用紙Ｐを搬送経路に沿って上流側から下流側へ搬送する各ローラー対１５，１６と、各ローラー対１５，１６によって搬送された用紙Ｐを下流側へ搬送する各ローラー対１７，１８と、各ローラー対１５，１６によって搬送される用紙Ｐに印刷を行う記録ヘッド２４と、印刷後の用紙Ｐを切断する回転刃２８と、各ローラー対１７，１８によって搬送される切断後の用紙Ｐｓを乾燥させる乾燥機３３と、用紙Ｐ，Ｐｓが連続して搬送される場合に、各ローラー対１５，１６による用紙Ｐの平均搬送速度が、各ローラー対１７，１８による用紙Ｐｓの搬送速度よりも遅くなるように、各ローラー対１５，１６の駆動源である上流側ローラーモーターを制御する制御部とを備える。【選択図】図１
2013001062.tif 000002
【特許請求の範囲】
【請求項１】
記録媒体を搬送経路に沿って上流側から下流側へ搬送する上流側搬送手段と、
該上流側搬送手段よりも前記搬送経路の下流側に配置されるとともに、前記上流側搬送手段によって搬送された前記記録媒体を下流側へ搬送する下流側搬送手段と、
前記上流側搬送手段によって搬送される前記記録媒体に記録処理を含む前処理を行う前処理手段と、
該前処理手段によって前記前処理が行われてから前記下流側搬送手段によって搬送される前記記録媒体に後処理を行う後処理手段と、
前記記録媒体が連続して搬送される場合に、前記上流側搬送手段による前記記録媒体の平均搬送速度が、前記下流側搬送手段による前記記録媒体の搬送速度よりも遅くなるように、前記上流側搬送手段を制御する制御手段と
を備えたことを特徴とする記録装置。
【請求項２】
前記制御手段は、前記記録処理における最終記録動作の終了後に、前記上流側搬送手段による前記記録媒体の平均搬送速度が、前記下流側搬送手段による前記記録媒体の搬送速度よりも遅くなるように、前記上流側搬送手段を制御することを特徴とする請求項１に記載の記録装置。
【請求項３】
前記記録処理は、記録手段によって前記記録媒体に液体を噴射して画像を形成する処理であり、
前記後処理は、前記記録処理が行われた前記記録媒体を乾燥する乾燥処理を含むことを特徴とする請求項２に記載の記録装置。
【請求項４】
前記記録媒体は、長尺状をなしており、
前記前処理は、前記記録処理によって画像が形成された前記記録媒体を画像領域毎に切断する切断処理を含み、
前記制御手段は、前記記録媒体の前記記録処理が行われてから該記録媒体の切断処理が行われるまでの間、前記上流側搬送手段による前記記録媒体の平均搬送速度が、前記下流側搬送手段による前記記録媒体の搬送速度よりも遅くなるように、前記上流側搬送手段を制御することを特徴とする請求項３に記載の記録装置。
【請求項５】
記録媒体を搬送経路に沿って上流側から下流側へ搬送する上流側搬送ステップと、
該上流側搬送ステップで搬送された前記記録媒体を下流側へ搬送する下流側搬送ステップと、
前記上流側搬送ステップで搬送される前記記録媒体に記録処理を含む前処理を行う前処理ステップと、
前記下流側搬送ステップで搬送される前記記録媒体に後処理を行う後処理ステップと、
前記記録媒体が連続して搬送される場合に、前記上流側搬送ステップでの前記記録媒体の平均搬送速度を、前記下流側搬送ステップでの前記記録媒体の搬送速度よりも遅くなるように制御する制御ステップと
を備えたことを特徴とする記録方法。
【発明の詳細な説明】
【技術分野】
【０００１】
本発明は、例えばインクジェット式プリンターなどの記録装置及び記録方法に関する。
【背景技術】
【０００２】
一般に、液体を記録媒体に対して付着させて記録処理を行う記録装置として、インクジェット式プリンターが広く知られている。こうしたプリンターでは、通常、記録媒体に対して記録ヘッド（記録手段）からインク（液体）を噴射することで、印刷（画像形成）が行われる。また、このようなプリンターの中には、記録媒体を間欠搬送して印刷処理を行った後に定着処理を行って印刷内容を定着させるものがある（例えば、特許文献１）。
【０００３】
この特許文献１のプリンターでは、記録媒体の搬送を停止した状態で記録媒体の搬送方向と直交する走査方向へプリントヘッド（記録ヘッド）を往復移動させてのインクの噴射処理と、インクの噴射を停止させての記録媒体の搬送処理とを繰り返し実行することにより、記録媒体に対する印刷処理（前処理）を行っている。そして、インクが付着した記録媒体は、その後、搬送方向の下流側へ連続搬送されて定着処理（後処理）が行われる。
【先行技術文献】
【特許文献】
【０００４】
【特許文献１】特開２００３−２９１３８２号公報
【発明の概要】
【発明が解決しようとする課題】
【０００５】
ところで、特許文献１のプリンターでは、記録媒体を間欠搬送して印刷処理を行ってから、その印刷処理後の記録媒体を下流側へ連続搬送して定着処理を行っているため、搬送される複数の記録媒体に連続して印刷を行う場合には、連続搬送される前後の記録媒体同士が衝突するおそれがあった。
【０００６】
本発明は、このような実情に鑑みてなされたものである。その目的とするところは、連続して搬送される記録媒体同士の衝突を抑制することが可能な記録装置及び記録方法を提供することにある。
【課題を解決するための手段】
【０００７】
上記目的を達成するために、本発明の記録装置は、記録媒体を搬送経路に沿って上流側から下流側へ搬送する上流側搬送手段と、該上流側搬送手段よりも前記搬送経路の下流側に配置されるとともに、前記上流側搬送手段によって搬送された前記記録媒体を下流側へ搬送する下流側搬送手段と、前記上流側搬送手段によって搬送される前記記録媒体に記録処理を含む前処理を行う前処理手段と、該前処理手段によって前記前処理が行われてから前記下流側搬送手段によって搬送される前記記録媒体に後処理を行う後処理手段と、前記記録媒体が連続して搬送される場合に、前記上流側搬送手段による前記記録媒体の平均搬送速度が、前記下流側搬送手段による前記記録媒体の搬送速度よりも遅くなるように、前記上流側搬送手段を制御する制御手段とを備えた。
【０００８】
この発明によれば、記録媒体が連続して搬送される場合に、上流側搬送手段による記録媒体の平均搬送速度が、下流側搬送手段による記録媒体の搬送速度よりも遅くなるため、連続して搬送される記録媒体同士の衝突を抑制することが可能となる。
【０００９】
本発明の記録装置において、前記制御手段は、前記記録処理における最終記録動作の終了後に、前記上流側搬送手段による前記記録媒体の平均搬送速度が、前記下流側搬送手段による前記記録媒体の搬送速度よりも遅くなるように、前記上流側搬送手段を制御する。
【００１０】
通常、記録処理における最終記録動作の終了後には、記録媒体に未記録の領域があっても、該記録媒体が速やかに下流側へ搬送されるため、該記録媒体と、該記録媒体の前を搬送される記録媒体との距離が詰まってしまい、記録媒体同士が衝突し易くなる。この点、この発明によれば、記録処理における最終記録動作の終了後に、上流側搬送手段による記録媒体の平均搬送速度が、下流側搬送手段による記録媒体の搬送速度よりも遅くなるため、連続して搬送される記録媒体同士の衝突を効果的に抑制することが可能となる。
【００１１】
本発明の記録装置において、前記記録処理は、記録手段によって前記記録媒体に液体を噴射して画像を形成する処理であり、前記後処理は、前記記録処理が行われた前記記録媒体を乾燥する乾燥処理を含む。
【００１２】
この発明によれば、記録処理によって記録媒体に形成した画像を、乾燥処理によって定着させることが可能となる。
本発明の記録装置において、前記記録媒体は、長尺状をなしており、前記前処理は、前記記録処理によって画像が形成された前記記録媒体を画像領域毎に切断する切断処理を含み、前記制御手段は、前記記録媒体の前記記録処理が行われてから該記録媒体の切断処理が行われるまでの間、前記上流側搬送手段による前記記録媒体の平均搬送速度が、前記下流側搬送手段による前記記録媒体の搬送速度よりも遅くなるように、前記上流側搬送手段を制御する。
【００１３】
この発明によれば、記録媒体の記録処理が行われてから該記録媒体の切断処理が行われるまでの間、上流側搬送手段による切断前の記録媒体の平均搬送速度が、下流側搬送手段による切断後の記録媒体の搬送速度よりも遅くなるため、連続して搬送される記録媒体同士の衝突を効果的に抑制することが可能となる。
【００１４】
本発明の記録方法は、記録媒体を搬送経路に沿って上流側から下流側へ搬送する上流側搬送ステップと、該上流側搬送ステップで搬送された前記記録媒体を下流側へ搬送する下流側搬送ステップと、前記上流側搬送ステップで搬送される前記記録媒体に記録処理を含む前処理を行う前処理ステップと、前記下流側搬送ステップで搬送される前記記録媒体に後処理を行う後処理ステップと、前記記録媒体が連続して搬送される場合に、前記上流側搬送ステップでの前記記録媒体の平均搬送速度を、前記下流側搬送ステップでの前記記録媒体の搬送速度よりも遅くなるように制御する制御ステップとを備えた。
【００１５】
この発明によれば、上記構成の記録装置と同様の作用効果を得ることが可能となる。
【図面の簡単な説明】
【００１６】
【図１】実施形態のインクジェット式プリンターを示す側面模式図。
【図２】同プリンターにおいて、用紙を搬送する際の状態を示す平面模式図。
【図３】同プリンターの電気的構成を示すブロック図。
【図４】同プリンターにおいて、用紙の印刷頁と、印刷されてから切断されるまでの用紙の平均搬送速度との関係を示すテーブル。
【図５】同プリンターの制御部が実行する搬送速度設定処理ルーチンを示すフローチャート。
【発明を実施するための形態】
【００１７】
以下、本発明の記録装置をインクジェット式プリンターに具体化した一実施形態を図面に基づいて説明する。以下の説明において、「前後方向」、「上下方向」及び「左右方向」をいう場合は、各図中に矢印で示す前後方向、左右方向、上下方向をそれぞれ示すものとする。また、各図中の上方向、左方向及び前方向を示す矢印において、丸印の中に点が記載されたものは、紙面の裏から表に向かう矢印を意味するものとする。なお、上下方向は鉛直方向となっている。
【００１８】
図１に示すように、記録装置としてのインクジェット式プリンター１１は、略直方体状をなす本体ケース１２を備えている。本体ケース１２の後面上部には、巻き軸Ｊにロール状に巻かれた状態の記録媒体としての長尺帯状のロール紙（連続紙）ＲＰが該巻き軸Ｊを中心として回転可能に収容される略中空円柱状をなす紙ケース１３が設けられている。一方、本体ケース１２の前面上部には、略矩形板状をなす排紙トレイ１４が設けられている。
【００１９】
本体ケース１２内の上部には、紙ケース１３内に収容されたロール紙ＲＰから巻き解かれながら繰り出される用紙Ｐを、該用紙Ｐの搬送方向である前方向に向かって搬送する上下一対のローラーを有する複数（本実施形態では４つ）のローラー対１５〜１８が前後方向において適宜間隔を置いてそれぞれ配置されている。
【００２０】
各ローラー対１５〜１８は、用紙Ｐの搬送経路の上流側となる後側から下流側となる前側に向かって順に、給送ローラー対１５、搬送ローラー対１６、中間ローラー対１７、排紙ローラー対１８とされている。各ローラー対１５〜１８は、用紙Ｐの搬送方向と直交する方向である左右方向に沿って延びる軸線を中心に回転可能になっている。
【００２１】
各ローラー対１５〜１８は、下側に位置するローラーが回転駆動されるとともに、上側に位置するローラーが下側に位置するローラーの回転駆動に伴ってそれぞれ従動回転する。そして、ロール紙ＲＰから繰り出される用紙Ｐは、各ローラー対１５〜１８の回転駆動により、該各ローラー対１５〜１８に挟持されながら搬送経路に沿って排紙トレイ１４へ搬送される。なお、ローラー対１５における下側に位置するローラーの回転軸には、該ローラーの回転量を検出するロータリーエンコーダー１９が取着されている。
【００２２】
ローラー対１５と搬送ローラー対１６との間における用紙Ｐの搬送経路に対して上側から対向する位置には、該搬送経路に沿って搬送される用紙Ｐの先端位置を検出する紙端センサー２０が配置されている。一方、用紙Ｐの搬送経路を挟んで紙端センサー２０と対向する位置には、該搬送経路に沿って搬送される用紙Ｐを下側からガイドするガイド板２１が配置されている。
【００２３】
搬送ローラー対１６の前側には、搬送経路に沿って搬送される用紙Ｐを下側から支持する矩形箱状の支持台２２が配置されている。一方、用紙Ｐの搬送経路を挟んで支持台２２と対向する位置には、搬送される用紙Ｐの幅方向（左右方向；走査方向）に沿って移動可能に構成されたキャリッジ２３が配置されている。
【００２４】
キャリッジ２３の下端部には、支持台２２に支持された用紙Ｐに複数のノズル（図示略）から液体としてのインクを噴射可能な記録手段としての記録ヘッド２４が支持されている。記録ヘッド２４の下面には、支持台２２に支持された用紙Ｐに対してインクが噴射される複数のノズル（図示略）が開口している。各ノズル（図示略）は前後方向に複数並んでなるノズル列を複数形成するとともに、該各ノズル列は左右方向に沿って互いに等間隔で平行に配置されている。
【００２５】
そして、各ローラー対１５，１６によって用紙Ｐの搬送（前後方向における各ノズル列の長さ分の搬送）と停止とを交互に繰り返すとともに、キャリッジ２３を走査方向に移動させながら停止したときの用紙Ｐに対して記録ヘッド２４の各ノズル（図示略）からインクを噴射することで、該用紙Ｐに各ノズル列の長さ分ずつの記録処理としての印刷（画像の形成）が行われる。したがって、記録ヘッド２４は所謂シリアル方式のヘッドであるとともに、支持台２２の上面上の領域は用紙Ｐの印刷が行われる印刷領域となっている。
【００２６】
図１及び図２に示すように、支持台２２の内部には、ファン２５が回転駆動可能に配置されている。支持台２２の上壁には、該支持台２２の内外を貫通する複数の吸引孔２２ａが形成されている。各吸引孔２２ａは、支持台２２のほぼ上面全体にわたって規則的に配列されている。そして、ファン２５が回転駆動されると、支持台２２内に負圧が発生し、該負圧によって支持台２２上を搬送される用紙Ｐが各吸引孔２２ａから吸引されて該支持台２２上に吸着される。
【００２７】
支持台２２に対して前側に隣り合う位置には、搬送経路に沿って搬送される用紙Ｐを下側からガイドするガイド板２６が配置されている。ガイド板２６と中間ローラー対１７との間の位置には、搬送経路に沿って搬送される用紙Ｐを下側からガイドするガイド板２７が配置されている。ガイド板２７は、中間ローラー対１７に対して後側に隣り合う位置に位置している。用紙Ｐの搬送経路におけるガイド板２６とガイド板２７との間の位置には、隙間Ｓが形成されている。
【００２８】
隙間Ｓの左側には、用紙Ｐの搬送方向と平行な方向である前後方向に延びる軸線を中心に回転駆動されるとともに隙間Ｓに沿って左右方向に移動可能に構成された円板状の回転刃２８が配置されている。回転刃２８は、回転駆動されながら左右方向に移動することで、用紙Ｐに印刷（形成）された画像領域毎に該用紙Ｐを切断する切断処理を行う。この場合、回転刃２８は、用紙Ｐの画像領域について搬送方向の端部に存在する不要な領域も切除する。なお、本実施形態では、記録処理と切断処理とによって前処理が構成されている。
【００２９】
本体ケース１２の右側面において、表面から少し凹むように面が形成された凹部３０内には、回転刃２８による用紙Ｐの切断によって生じて重力方向である下側に落下する切断片Ｐｋを受けて溜める切屑容器３１が収容されている。この場合、切屑容器３１は、用紙Ｐにおける回転刃２８によって切断される位置と対応する位置であって、回転刃２８よりも下側に位置している。
【００３０】
切屑容器３１は、上端が開口した矩形箱状をなしているとともに、本体ケース１２から用紙Ｐの搬送方向と直交する右方向に引き抜くことができるようになっている。切屑容器３１は、その右側面が凹部３０において露出している。そして、切屑容器３１の右側面における上端部には、該切屑容器３１を本体ケース１２から引き抜く際に掴むための取手３２が設けられている。
【００３１】
中間ローラー対１７と排紙ローラー対１８との間の位置には、記録ヘッド２４によって印刷されるとともに回転刃２８によって切断された用紙Ｐｓに対して上側（印刷面側）から温風を吹き付けて後処理としての乾燥処理を行うための後処理手段としての乾燥機３３が配置されている。用紙Ｐの搬送経路を挟んで乾燥機３３と対向する位置には、搬送経路に沿って搬送される用紙Ｐを下側からガイドするガイド板３４が配置されている。
【００３２】
次に、インクジェット式プリンター１１の電気的構成について説明する。
図３に示すように、インクジェット式プリンター１１は、該インクジェット式プリンター１１の稼働状態を統括的に制御する制御手段としての制御部４０と、印刷データが記憶されたメモリーカード（図示略）が接続されるメモリーカードインターフェース４８と、使用する用紙Ｐの縦横の幅、用紙Ｐに印刷する画像の解像度、用紙Ｐの印刷枚数などをユーザーが入力可能な操作部４１とを備えている。操作部４１は、ユーザーが各種操作を行う際に確認するための表示画面を有している。
【００３３】
制御部４０は、操作部４１、ロータリーエンコーダー１９、紙端センサー２０、記録ヘッド２４、及び乾燥機３３とそれぞれ電気的に接続されている。さらに、制御部４０は、モータードライバー４２を介して、各ローラー対１５，１６を回転駆動する上流側ローラーモーター４３、各ローラー対１７，１８を回転駆動する下流側ローラーモーター４４、キャリッジ２３を左右方向に移動させるための駆動源となるキャリッジモーター４５、ファン２５を回転駆動するファンモーター４６、及び回転刃２８を回転させながら左右方向に移動させるための駆動源となる切断モーター４７とそれぞれ電気的に接続されている。
【００３４】
そして、制御部４０は、操作部４１、ロータリーエンコーダー１９、紙端センサー２０からそれぞれ送信される信号に基づき、記録ヘッド２４及び乾燥機３３の駆動をそれぞれ制御するとともに、モータードライバー４２を介して各モーター４３〜４７の駆動をそれぞれ制御する。
【００３５】
制御部４０は、紙端センサー２０によって用紙Ｐの先端が検出されると、ロータリーエンコーダー１９からの信号をリセットする。その後、制御部４０は、ロータリーエンコーダー１９からのパルス信号をカウントしてローラー対１５における駆動側のローラーの回転量を演算することで、用紙Ｐの先端位置を把握する。
【００３６】
また、制御部４０は、ＲＯＭ、ＲＡＭ、不揮発性メモリーなどから構成された記憶部４９を有している。記憶部４９には、操作部４１から入力される用紙Ｐの印刷枚数などの情報や、メモリーカード（図示略）から読み込まれる印刷データ、図４に示すテーブル、各種の制御プログラムなどがそれぞれ記憶される。
【００３７】
図４に示すテーブルには、用紙Ｐの印刷頁と、印刷されてから切断されるまでの用紙Ｐの平均搬送速度ＶＡとの関係が示されている。そして、平均搬送速度ＶＡ１は用紙Ｐが乾燥処理される際の用紙Ｐの搬送速度Ｖと同じ速度に設定される一方、平均搬送速度ＶＡ２は用紙Ｐが乾燥処理される際の用紙Ｐの搬送速度Ｖよりも遅い速度に設定されている。この場合、搬送速度Ｖは、印刷後の用紙Ｐが十分に乾燥される一定速度に設定されている。
【００３８】
さらにこの場合、用紙Ｐが印刷されてから切断されるまでの該用紙Ｐの各平均搬送速度ＶＡ１，ＶＡ２は、間欠搬送（停止と搬送を繰り返す搬送）の場合では停止状態での搬送速度と搬送状態での搬送速度との両方を含めた平均の搬送速度を示し、連続搬送（停止させない搬送）の場合では搬送状態での搬送速度を示す。
【００３９】
なお、本実施形態では、各ローラー対１５，１６及び上流側ローラーモーター４３によって上流側搬送手段が構成され、各ローラー対１７，１８及び下流側ローラーモーター４４によって下流側搬送手段が構成され、記録ヘッド２４、回転刃２８、及び切断モーター４７によって前処理手段が構成されている。
【００４０】
次に、ユーザーが操作部４１を操作した際に制御部４０が実行する搬送速度設定処理ルーチンについて、図５のフローチャートに基づき説明する。
さて、制御部４０は、操作部４１からの操作信号が入力されると、記憶部４９から用紙Ｐの印刷枚数の情報を読み出して、用紙Ｐの印刷枚数が複数枚か否かを判定する（ステップＳ１）。ステップＳ１の判定結果が否定判定である場合、制御部４０は、搬送速度設定処理ルーチンを終了する。一方、ステップＳ１の判定結果が肯定判定である場合、制御部４０は、用紙Ｐが印刷されてから切断されるまでの間の該用紙Ｐの平均搬送速度ＶＡを図４のテーブルに基づいてＶＡ１に設定する（ステップＳ２）。
【００４１】
続いて、制御部４０は、用紙Ｐの最終頁の印刷（最終ラスターの印刷）が完了したか否かを判定する（ステップＳ３）。ステップＳ３の判定結果が否定判定である場合、制御部４０は、ステップＳ３の判定結果が肯定判定となるまで、ステップＳ３の処理を繰り返し実行する。一方、ステップＳ３の判定結果が肯定判定である場合、制御部４０は、用紙Ｐが印刷されてから切断されるまでの間の該用紙Ｐの平均搬送速度ＶＡを図４のテーブルに基づいてＶＡ２に設定する（ステップＳ４）。その後、制御部４０は、搬送速度設定処理ルーチンを終了する。
【００４２】
次に、インクジェット式プリンター１１の作用について説明する。
初めに、本実施形態では、用紙Ｐの印刷ジョブが１０枚（１０頁）の場合について説明する。
【００４３】
さて、ロール紙ＲＰの印刷を行う場合には、まず、ロール紙ＲＰをセットする。続いて、ユーザーによる操作部４１の操作に伴って、各ローラー対１５〜１８が回転駆動されると、ロール紙ＲＰから用紙Ｐが巻き解かれながら搬送経路の上流側から下流側へ搬送される（上流側搬送ステップ）。このとき、各ローラー対１５，１６による用紙Ｐの平均搬送速度ＶＡは、各ローラー対１７，１８による用紙Ｐの搬送速度と同じ速度であるＶＡ１に設定される。そして、用紙Ｐの先端部が支持台２２上に達すると、用紙Ｐの搬送が停止される。すなわち、用紙Ｐの頭出しが行われる。
【００４４】
そして、ファン２５が回転駆動されると、用紙Ｐにおける印刷領域（支持台２２の上面上）に位置する部分が各吸引孔２２ａからの吸引力によって支持台２２の上面上に吸着される。続いて、キャリッジ２３を左右方向に往復移動させながら記録ヘッド２４から印刷領域の用紙Ｐにインクを噴射するとともに、該用紙Ｐを下流側に間欠搬送することで、該用紙Ｐの１頁目の印刷が行われる（前処理ステップ）。すなわち、用紙Ｐに１頁目の画像が形成される。
【００４５】
引き続き、用紙Ｐは、印刷されながら１頁面の画像領域が搬送経路の下流側へ移動するように搬送される（上流側搬送ステップ）。そして、用紙Ｐの先端部における画像が形成されていない不要部分が隙間Ｓに達すると、用紙Ｐが停止されて、用紙Ｐの先端部の不要部分が回転刃２８によって切除される。この切断された用紙Ｐの切断片Ｐｋは、隙間Ｓから落下して切屑容器３１内に収容される。
【００４６】
引き続き、用紙Ｐは、その先端部の不要部分が切除された後、下流側へ搬送される（上流側搬送ステップ）。このとき、用紙Ｐの２頁目の印刷が開始される。そして、用紙Ｐの先端部が中間ローラー対１７に挟持された後、用紙Ｐの１頁目の画像領域が前後方向において回転刃２８よりも前側に達すると、用紙Ｐの搬送を停止させた状態で、用紙Ｐの１頁目の画像領域が回転刃２８によって切り離される（前処理ステップ）。このとき、用紙Ｐの３頁目の印刷が開始される。
【００４７】
回転刃２８によって切り離された１頁目の用紙Ｐｓは、中間ローラー対１７により排紙ローラー対１８へ向かって搬送される（下流側搬送ステップ）。このとき、用紙Ｐｓは、中間ローラー対１７から排紙ローラー対１８へ搬送される過程で、その印刷面側に乾燥機３３から温風が吹き付けられるとともに、予め乾燥機３３から温風を受けてガイド板３４に蓄熱されていた熱を印刷面側とは反対側の面から受け取ることで、乾燥される（後処理ステップ）。これにより、用紙Ｐｓに付着していたインクが定着する。そして、乾燥機３３によって乾燥された用紙Ｐｓは、その後、排紙ローラー対１８により排紙トレイ１４上に排紙される。
【００４８】
続いて、用紙Ｐの２頁目の画像領域が前後方向において回転刃２８よりも前側に達すると、用紙Ｐの搬送を停止させた状態で、用紙Ｐの２頁目の画像領域が回転刃２８によって切り離される。このとき、用紙Ｐの４頁目の印刷が開始される。同様に、用紙Ｐは、５頁目以降も順次印刷されて、回転刃２８により、印刷された画像領域毎に左右方向に沿って切断されながら、搬送経路の下流側に順次搬送される。
【００４９】
そして、用紙Ｐの１０頁目（最終頁）の印刷（最終記録動作）が終了すると、各ローラー対１５，１６による用紙Ｐの平均搬送速度ＶＡは、各ローラー対１７，１８による用紙Ｐの搬送速度よりも遅い速度であるＶＡ２に変更される（制御ステップ）。続いて、回転刃２８によって切り離された９頁目の用紙Ｐｓは、中間ローラー対１７により排紙ローラー対１８へ向かって搬送される。
【００５０】
すると、用紙Ｐの１０頁目の画像領域が前後方向において回転刃２８よりも前側に達するまで、すなわち用紙Ｐの１０頁目の画像領域が回転刃２８によって切り離されるまでは、該用紙Ｐが平均搬送速度ＶＡ２で搬送されるため、９頁目の用紙Ｐｓと、切断前の１０頁目の画像が形成された用紙Ｐとの間隔は広がる。したがって、９頁目の用紙Ｐｓに１０頁目の用紙Ｐｓが追いついて衝突することが抑制される。その後、用紙Ｐの１０頁目の画像領域が前後方向において回転刃２８よりも前側に達すると、用紙Ｐの１０頁目の画像領域が回転刃２８によって切り離される。
【００５１】
続いて、回転刃２８によって切り離された１０頁目の用紙Ｐｓは、中間ローラー対１７により排紙ローラー対１８へ向かって搬送される過程で乾燥機３３によって乾燥された後、排紙ローラー対１８により排紙トレイ１４上に排紙される。このようにして、１０枚の用紙Ｐｓが連続して印刷される。
【００５２】
ここで、用紙Ｐは、通常、１０頁目（最終頁）の印刷が１頁分に満たない場合が多い。そして、用紙Ｐの１０頁目（最終頁）の印刷が、例えば画像を形成可能な領域の半分程度で終了するような場合に、用紙Ｐの１０頁目（最終頁）の印刷が終了した後も、各ローラー対１５，１６による用紙Ｐの平均搬送速度ＶＡがＶＡ１に設定されていると、用紙Ｐの１０頁目の印刷時間が短くなるので、切断後の用紙Ｐｓの９頁目と１０頁目との間隔が他の頁間の間隔よりも狭くなる。
【００５３】
すると、９頁目の用紙Ｐｓがガイド板３４上で乾燥機３３によって乾燥された後、ガイド板３４が乾燥機３３からの温風を受けて十分に蓄熱されない状態で、ガイド板３４上に１０頁目の用紙Ｐｓが搬送される。このため、乾燥機３３による１０頁目の用紙Ｐｓの乾燥時に、ガイド板３４から１０頁目の用紙Ｐｓに対して乾燥に必要な熱量が十分に与えられなくなるので、１０頁目の用紙Ｐｓが十分に乾燥されなくなるという問題がある。
【００５４】
なぜなら、各用紙Ｐｓは、中間ローラー対１７から排紙ローラー対１８へ搬送される過程で、乾燥機３３から直接受ける熱量と、乾燥機３３によって蓄熱されたガイド板３４から受ける熱量との合計の熱量を受け取ることで、その乾燥が成立するようになっているからである。
【００５５】
この点、本実施形態では、用紙Ｐの１０頁目（最終頁）の印刷（最終記録動作）が終了すると、各ローラー対１５，１６による用紙Ｐの平均搬送速度ＶＡは、ＶＡ１から、各ローラー対１７，１８による用紙Ｐｓの搬送速度よりも遅い速度であるＶＡ２に変更されるため、用紙Ｐの１０頁目の印刷が１頁分に満たない場合（用紙Ｐの１０頁目の印刷時間が他の頁の印刷時間よりも短い場合）でも、切断後の用紙Ｐｓの９頁目と１０頁目との間隔が他の頁間の間隔よりも狭くなることはない。したがって、印刷が１頁分に満たない１０頁目（最終頁）の用紙Ｐｓを十分に乾燥することができる。
【００５６】
以上、詳述した実施形態によれば以下の効果を得ることができる。
（１）１つの印刷ジョブ（本実施形態では、１０枚の印刷）の１０頁目（最終頁）の印刷終了後（最終ラスターの印刷後）に、各ローラー対１５，１６による用紙Ｐの平均搬送速度ＶＡが、各ローラー対１７，１８による用紙Ｐｓの搬送速度よりも遅くなるため、９頁目の用紙Ｐｓと１０頁目の用紙Ｐｓとの間隔を広げることができる。したがって、９頁目の用紙Ｐｓに１０頁目の用紙Ｐｓが追いついて衝突することを抑制することができる。
【００５７】
（２）また、通常、用紙Ｐの１０頁目（最終頁）の印刷終了後（最終ラスターの印刷後）には、この用紙Ｐの１０頁目の画像形成領域における下流側半分に画像が形成されない未記録の領域があっても、該用紙Ｐが速やかに下流側へ搬送されるため、１０頁目の用紙Ｐｓと９頁目の用紙Ｐｓとの間隔が狭くなる（距離が詰まる）。このため、用紙Ｐｓの９頁目がガイド板３４上で乾燥機３３によって乾燥された後、ガイド板３４が乾燥機３３からの温風を受けて十分に蓄熱されない状態で、ガイド板３４上に用紙Ｐｓの１０頁目が搬送されることとなり、１０頁目の用紙Ｐｓの乾燥が不足してしまう。
【００５８】
この点、本実施形態では、１つの印刷ジョブ（本実施形態では、１０枚の印刷）の１０頁目（最終頁）の印刷終了後（最終ラスターの印刷後）に、各ローラー対１５，１６による用紙Ｐの平均搬送速度ＶＡが、各ローラー対１７，１８による用紙Ｐｓの搬送速度よりも遅くなるため、用紙Ｐの１０頁目の印刷が１頁分に満たない場合でも、９頁目の用紙Ｐｓと１０頁目の用紙Ｐｓとの間隔を広げることができる。このため、１０頁目の用紙Ｐｓがガイド板３４上に到達する前に乾燥機３３によって該ガイド板３４に十分に蓄熱させることができるので、印刷が１頁分に満たない１０頁目（最終頁）の用紙Ｐｓを十分に乾燥させることができる。
【００５９】
（３）記録ヘッド２４によって画像が形成されて回転刃２８によって切断された各用紙Ｐｓは、乾燥機３３によって乾燥されるため、各用紙Ｐｓに形成された画像を定着させることができる。
【００６０】
（４）用紙Ｐの１０頁目（最終頁）の印刷が行われてから該用紙Ｐの１０頁目（最終頁）の切断処理が行われるまでの間、各ローラー対１５，１６による切断前の用紙Ｐの平均搬送速度ＶＡが、各ローラー対１７，１８による切断後の用紙Ｐｓの搬送速度よりも遅くなるため、連続して搬送される９頁目の用紙Ｐｓと１０頁目（最終頁）の用紙Ｐｓとの衝突を効果的に抑制することができる。
（変更例）
なお、上記実施形態は以下のような別の実施形態に変更してもよい。
【００６１】
・各ローラー対１５，１６による切断前の用紙Ｐの平均搬送速度ＶＡは、常に平均搬送速度ＶＡ２に設定するようにしてもよい。
・用紙Ｐの１０頁目（最終頁）以外の頁の印刷であっても、その頁の印刷が１頁分に満たない場合であってその頁における最終ラスターの印刷終了後に、各ローラー対１５，１６による該用紙Ｐの平均搬送速度ＶＡをＶＡ１からＶＡ２に変更するようにしてもよい。
【００６２】
・前処理には、必ずしも切断処理を含ませる必要はない。
・用紙Ｐの印刷に紫外線硬化型のインクを用いてもよい。この場合、乾燥機３３による乾燥処理の代わりに、紫外線照射装置による紫外線照射処理を後処理として行う必要がある。
【００６３】
・後処理には、切断後の各用紙Ｐｓの仕分け（ソート）を行う仕分処理が含まれていてもよい。
・各ローラー対１５，１６による切断前の用紙Ｐの平均搬送速度ＶＡ２は、平均搬送速度ＶＡ１よりも遅い範囲内であれば、用紙Ｐの１頁分の印刷領域の左右方向の寸法、用紙Ｐの１頁分の印刷領域の前後方向の寸法、印刷ジョブの終了間際（用紙Ｐの１０頁目（最終頁）の最終ラスターの印刷終了間際）のインクの使用量などに基づいて適宜変更するようにしてもよい。
【００６４】
・記録媒体として枚葉紙を採用してもよい。
・インクジェット式プリンター１１において、記録媒体は、プラスチックフィルム、布、金属箔などであってもよい。
【００６５】
・上記実施形態では、記録装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００６６】
１１…記録装置としてのインクジェット式プリンター、１５…上流側搬送手段を構成する給送ローラー対、１６…上流側搬送手段を構成する搬送ローラー対、１７…下流側搬送手段を構成する中間ローラー対、１８…下流側搬送手段を構成する排紙ローラー対、２４…前処理手段を構成する記録手段としての記録ヘッド、２８…前処理手段を構成する回転刃、３３…後処理手段としての乾燥機、４０…制御手段としての制御部、４３…上流側搬送手段を構成する上流側ローラーモーター、４４…下流側搬送手段を構成する下流側ローラーモーター、４７…前処理手段を構成する切断モーター、ＲＰ…記録媒体としてのロール紙、Ｖ…搬送速度、ＶＡ，ＶＡ１，ＶＡ２…平均搬送速度。
【図１】
2013001062.tif 000003
【図２】
2013001062.tif 000004
【図３】
2013001062.tif 000005
【図４】
2013001062.tif 000006
【図５】
2013001062.tif 000007